(57)【要約】【課題】光学部材を固定する固定部材が回転することで光学部材への加圧点がずれるのを抑制することができる光学装置及び画像形成装置を提供する。【解決手段】光学走査装置１００は、ミラー１５２，１５３と、ミラー１５２，１５３の両端部が挿通可能な開口部１１５ａ，１１５ｂがそれぞれ形成された一対の側壁１０５ｂ，１０５ｃと、ミラー１５２，１５３の両端部を一対の側壁１０５ｂ，１０５ｃの開口部１１５ａ，１１５ｂにそれぞれ挿通させた状態で開口部１１５ａ，１１５ｂの内側であってミラー１５２，１５３の周囲に形成された隙間に装着されてミラー１５２，１５３を一対の側壁１０５ｂ，１０５ｃに固定する一対のミラー固定部材５０とを備え、ミラー固定部材５０は、突出部５１ｂと、第１の規制部５１ａと、板材の幅方向の両端側に形成された一対の切り起こし部５２ｂと、第２の規制部５２ａとを備える。【選択図】図７
2011064888.tif 000002
【特許請求の範囲】
【請求項１】
光源から出射される光の光路上に配置される棒状の光学部材と、
前記光学部材の長手方向の長さよりも短い間隔を有して配置され、前記光学部材の両端部が挿通可能な開口がそれぞれ形成された一対の壁と、
前記光学部材の前記両端部を前記一対の壁の前記開口にそれぞれ挿通させた状態で前記光学部材の周囲に形成された隙間に装着されて前記光学部材を前記一対の壁に固定する固定部材とを備え、
前記固定部材は、板材から形成され、前記光学部材の表面に接触する突起と、前記光学部材の長手方向の移動を規制する第１の規制部と、前記板材の幅方向の両端側を切り起こして形成された一対の切り起こし部と、前記一対の切り起こし部との間に前記開口の周辺の前記壁の部分を差し入れて自己の移動を規制する第２の規制部と、
を備えた光学装置。
【請求項２】
前記固定部材は、前記光学部材の異なる表面に異なる方向から前記突起が接触するように前記光学部材の周囲に装着された一対の第１及び第２の固定部材である請求項１に記載の光学装置。
【請求項３】
画像データに基づいて変調した光ビームを前記光学部材によって反射させて感光体に照射する請求項１又は２に記載の光学装置であって、前記光源及び前記光学部材を複数備え、複数の前記感光体に光ビームを走査することでカラー画像を形成する画像形成装置。
【発明の詳細な説明】
【技術分野】
【０００１】
本発明は、光学装置及び画像形成装置に関する。
【背景技術】
【０００２】
装置の運搬や稼動中の振動等によりミラーが位置ずれを起こさないようにした画像形成装置が提案されている（例えば、特許文献１参照）。
【０００３】
特許文献１に記載された画像形成装置は、一対のミラー支板のそれぞれに形成した開口にミラーを挿通し、開口とミラーとの間にミラー押えバネを装着することでミラーをミラー支板に固定している。ミラー押えバネは、ミラー支板を挟むための板材の幅中央に形成された曲げ起こし部及び支板ストッパー部と、ミラーを弾性的に押圧するミラー押圧突起と、ミラーの軸方向の移動を規制するミラーストッパー部とを備える。
【先行技術文献】
【特許文献】
【０００４】
【特許文献１】特開平１１−３５２６０２号公報
【発明の概要】
【発明が解決しようとする課題】
【０００５】
本発明の目的は、光学部材を固定する固定部材が回転することで光学部材への加圧点がずれるのを抑制することができる光学装置及び画像形成装置を提供することにある。
【課題を解決するための手段】
【０００６】
本発明の一態様は、上記目的を達成するため、以下の光学装置及び画像形成装置を提供する。
【０００７】
［１］光源から出射される光の光路上に配置される棒状の光学部材と、前記光学部材の長手方向の長さよりも短い間隔を有して配置され、前記光学部材の両端部が挿通可能な開口がそれぞれ形成された一対の壁と、前記光学部材の前記両端部を前記一対の壁の前記開口にそれぞれ挿通させた状態で前記光学部材の周囲に形成された隙間に装着されて前記光学部材を前記一対の壁に固定する固定部材とを備え、前記固定部材は、板材から形成され、前記光学部材の表面に接触する突起と、前記光学部材の長手方向の移動を規制する第１の規制部と、前記板材の幅方向の両端側を切り起こして形成された一対の切り起こし部と、前記一対の切り起こし部との間に前記開口の周辺の前記壁の部分を差し入れて自己の移動を規制する第２の規制部と、を備えた光学装置。
【０００８】
［２］前記固定部材は、前記光学部材の異なる表面に異なる方向から前記突起が接触するように前記光学部材の周囲に装着された一対の第１及び第２の固定部材である前記［１］に記載の光学装置。
【０００９】
［３］画像データに基づいて変調した光ビームを前記光学部材によって反射させて感光体に照射する前記［１］又は［２］に記載の光学装置であって、前記光源及び前記光学部材を複数備え、複数の前記感光体に光ビームを走査することでカラー画像を形成する画像形成装置。
【発明の効果】
【００１０】
請求項１、３に記載された発明によれば、光学部材を固定する固定部材が回転することで光学部材への加圧点がずれるのを抑制することができる。また、請求項３の発明では、光学部材の加圧点がずれるのを抑制することで光学部材の各色の色ずれを抑制することができるまた、反射ミラーの板厚を薄くすることができるのでコストを抑制できる。
【００１１】
請求項２に記載された発明によれば、光学部材を一対の固定部材で固定する場合と比べて光学部材の移動を抑制することができる。
【図面の簡単な説明】
【００１２】
【図１】図１は、本発明の実施の形態に係る画像形成装置の概略の構成を示す図である。
【図２Ａ】図２Ａは、本発明の実施の形態に係る光学走査装置の光学系を主として示す正面図である。
【図２Ｂ】図２Ｂは、本発明の実施の形態に係る光学走査装置の光学系を主として示す平面図である。
【図３】図３は、本発明の実施の形態に係る光学走査装置の外観を示す正面図である。
【図４】図４は、ミラー固定部材の斜視図である。
【図５】図５は、図３のＡ部拡大図である。
【図６】図６は、図３のＢ部拡大図である。
【図７】図７は、図５のＣ−Ｃ線断面図である。
【図８】図８は、図６のＤ−Ｄ線断面図である。
【図９】図９は、図７のＥ方向矢視図である。
【図１０】図１０（ａ）は、本実施の形態に係るミラー固定部材が傾いたときの様子を示す図、図１０（ｂ）は、比較例として、切り起こし部が幅方向の中央に設けられたミラー固定部材が傾いたときの様子を示す図である。
【図１１】図１１（ａ）は、比較例として、切り起こし部が幅方向の中央に設けられたミラー固定部材を用いた場合の問題を説明するための断面図であり、図１１（ｂ）は、図１１（ａ）のＨ方向から見た図である。
【発明を実施するための形態】
【００１３】
図１は、本発明の実施の形態に係る画像形成装置の概略の構成を示す図である。この画像形成装置１０は、例えば、デジタルカラープリンタであり、パーソナルコンピュータ等の上位装置から送信された画像データに図示しない画像処理部で画像処理を施してイエロー（Ｙ）、マゼンタ（Ｍ）、シアン（Ｃ）、ブラック（Ｋ）の各色の画像データに変換した後、各色の画像データに基づいてカラー画像を用紙に形成するように構成されている。なお、画像形成装置１０は、複写機やファイクシミリ、又は複写機、プリンタ、スキャナ、ファックシミリ等の複数の機能を有する複合機であってもよい。
【００１４】
画像形成装置１０は、略箱型状の筐体１１を有し、この筐体１１内の下部に、記録媒体としての用紙Ｐを収容する給紙トレイ１２を着脱可能に設け、筐体１１の上部に、記録済みの用紙Ｐが排出される用紙排出部１３を配設し、給紙トレイ１２から用紙排出部１３に至るように用紙搬送路１４を形成している。用紙搬送路１４上には、給紙トレイ１２から用紙Ｐを用紙搬送路１４に１枚ずつ取り込むピックアップロール１４ａ、用紙Ｐを捌く、捌きロール１４ｂ、用紙Ｐを搬送する搬送ロール１４ｃ、用紙Ｐ上のトナー像を定着する定着器１５、及び用紙Ｐを用紙排出部１３に排出する排出ロール１４ｄが配設されている。
【００１５】
また、画像形成装置１０は、筐体１１内の中央部に画像形成部２０を有する。画像形成部２０は、駆動ロール３０、バックアップロール３１及び従動ロール３２に張架され、図中の矢印方向に循環移動する中間転写ベルト３３と、中間転写ベルト３３の外側に一定の間隔を有して着脱可能に配置され、図中の矢印方向に回転しながら、ＹＭＣＫの各色用のトナー画像が形成される感光体２２Ｙ，２２Ｍ，２２Ｃ，２２Ｋを有する画像形成ユニット２１Ｙ，２１Ｍ，２１Ｃ，２１Ｋと、中間転写ベルト３３の内側に配置され、感光体２２Ｙ，２２Ｍ，２２Ｃ，２２Ｋの表面に形成されたトナー画像を中間転写ベルト３３に転写する一次転写ロール２６Ｙ，２６Ｍ，２６Ｃ，２６Ｋとを備える。
【００１６】
画像形成ユニット２１Ｙ，２１Ｍ，２１Ｃ，２１Ｋは、それぞれ上記感光体２２Ｙ，２２Ｍ，２２Ｃ，２２Ｋと、感光体２２Ｙ，２２Ｍ，２２Ｃ，２２Ｋの表面を一様に帯電する帯電器２３と、感光体２２Ｙ，２２Ｍ，２２Ｃ，２２Ｋの表面に後述する光学走査装置１００によって形成された静電潜像をトナーで現像することにより感光体２２Ｙ，２２Ｍ，２２Ｃ，２２Ｋの表面にトナー像を形成する現像器２４と、感光体２２Ｙ，２２Ｍ，２２Ｃ，２２Ｋの表面に残留しているトナーを回収する感光体クリーニング部２５とを備える。
【００１７】
現像器２４は、トナーを収容するハウジング２４ａを有し、このハウジング２４ａ内に、感光体２２Ｙ，２２Ｍ，２２Ｃ，２２Ｋにトナーを供給して感光体２２Ｙ，２２Ｍ，２２Ｃ，２２Ｋ上の静電潜像をトナーで現像する現像ロール２４ｂと、現像ロール２４ｂにトナーを供給する供給オーガー２４ｃと、トナーを攪拌するとともに供給オーガー２４ｃにトナーを供給する攪拌オーガー２４ｄとを配設している。現像器２４は、トナーボックス３５Ｙ，３５Ｍ，３５Ｃ，３５Ｋから各色のトナーが供給されるようになっている。
【００１８】
画像形成部２０は、中間転写ベルト３３を挟んでバックアップロール３１の反対側に、二次転写ロール３４を設けており、バックアップロール３１と形成するニップ領域において、中間転写ベルト３３上のトナー画像を用紙Ｐに二次転写する。
【００１９】
また、画像形成部２０は、画像形成ユニット２１Ｙの上流側であって、中間転写ベルト３３を挟んで駆動ロール３０の反対側にベルトクリーニング部４０を配設している。ベルトクリーニング部４０は、駆動ロール３０側へ押圧され、中間転写ベルト３３上に残留しているトナーを掻き取って回収する。
【００２０】
光学走査装置１００は、光学装置の一例であり、光学箱１０１と、ＹＭＣＫ各色の画像データに基づいて変調されたレーザーによる光ビーム１１１Ｙ，１１１Ｍ，１１１Ｃ，１１１Ｋを出射する４つの半導体レーザからなる光源と、光学箱１０１内に収容され、各半導体レーザから出射された光ビーム１１１Ｙ，１１１Ｍ，１１１Ｃ，１１１Ｋを感光体２２Ｙ，２２Ｍ，２２Ｃ，２２Ｋの配列位置に応じた方向に光路を変換する光学系とを備える。
【００２１】
（光学走査装置の光学系）
図２Ａ及び図２Ｂは、光学走査装置１００の光学系を主として示し、図２Ａは、正面図、図２Ｂは、平面図である。なお、図２Ａでは、光源駆動基板を省略している。
【００２２】
光学箱１０１は、上方に開口部を有する支持部材の一例である箱本体１０２と、箱本体１０２の開口部を覆う蓋体１０３とを備える。箱本体１０２及び蓋体１０３は、例えば、ＰＥＴ（ポリエチレンテレフタレート）系やＰＣ（ポリカーボネート）系のガラス繊維強化樹脂等から射出成形によって一体に形成されている。
【００２３】
箱本体１０２は、光学系を支持する底壁１０４と、底壁１０４の四方に形成された側壁１０５ａ〜１０５ｄと、四隅に設けられてフレーム１１ａに固定される４つの座部１０６とを備える。座部１０６には、フレーム１１ａに接触する部分に座板１０６ａが設けられ、座板１０６ａを貫通するように取り付け穴が形成されている。座部１０６は、ねじによりフレーム１１ａに取り付けられる。
【００２４】
蓋体１０３には、４本の光ビーム１１１Ｙ，１１１Ｍ，１１１Ｃ，１１１Ｋを透過させるための４つのガラス窓１０３ａが設けられている。
【００２５】
光学走査装置１００は、ＹＭＣＫ各色に対応した光ビーム１１１Ｙ，１１１Ｍ，１１１Ｃ，１１１Ｋを出射する半導体レーザ１１０Ｙ，１１０Ｍ，１１０Ｃ，１１０Ｋと、半導体レーザ１１０Ｙ，１１０Ｍ，１１０Ｃ，１１０Ｋから出射された光ビーム１１１Ｙ，１１１Ｍ，１１１Ｃ，１１１Ｋを走査する回転多面鏡１４１を有する第１光学系１４０と、第１光学系１４０からの光ビーム１１１Ｙ，１１１Ｍ，１１１Ｃ，１１１Ｋを各感光体２２Ｙ，２２Ｍ，２２Ｃ，２２Ｋの配列位置に応じた方向に分離する光分離多面鏡１５１を有する第２光学系１５０とを備える。第１光学系１４０及び第２光学系１５０は、光学箱１０１に収容されている。
【００２６】
半導体レーザ１１０Ｙ，１１０Ｍ，１１０Ｃ，１１０Ｋは、半導体レーザ１１０Ｙ，１１０Ｍ，１１０Ｃ，１１０Ｋを駆動するドライバＩＣとともに光源駆動基板１２０に実装されている。光源駆動基板１２０は、側壁１０５ａに取り付けられている。
【００２７】
第１光学系１４０は、半導体レーザ１１０Ｙ，１１０Ｍ，１１０Ｃ，１１０Ｋと回転多面鏡１４１との間に、コリメータレンズ１４２、スリット１４３、第１反射ミラー１４４Ａ、第１レンズ系１４５Ａ、第２反射ミラー１４４Ｂ、第３反射ミラー１４４Ｃ及び第２レンズ系１４５Ｂが配置され、回転多面鏡１４１の後段には、第１ｆθレンズ１４６Ａ、第２ｆθレンズ１４６Ｂ及び折り返しミラー１４７が配置されている。
【００２８】
第２光学系１５０は、上記光分離多面鏡１５１と、光分離多面鏡１５１によって分離された４本の光ビーム１１１Ｙ，１１１Ｍ，１１１Ｃ，１１１Ｋを反射する光学部材の一例である反射ミラー１５２Ｙ，１５２Ｍ，１５２Ｃ，１５２Ｋと、反射ミラー１５２Ｙ，１５２Ｍ，１５２Ｃ，１５２Ｋで反射した４本の光ビーム１１１Ｙ，１１１Ｍ，１１１Ｃ，１１１Ｋを感光体２２Ｙ，２２Ｍ，２２Ｃ，２２Ｋに集光して反射する光学部材の一例である最終ミラー１５３Ｙ，１５３Ｍ，１５３Ｃ，１５３Ｋとを備える。また、第２光学系１５０は、光分離多面鏡１５１を経た例えば光ビーム１１１Ｋの走査開始側のビームをＳＯＳミラー１５４で反射させ、ＳＯＳレンズ１５５で集光させＳＯＳセンサ１５６に入射させて各色の書き出しタイミングを整えている。
【００２９】
図３は、光学走査装置１００の外観を示す正面図である。側壁１０５ｂには、反射ミラー１５２Ｙ，１５２Ｍ，１５２Ｃ，１５２Ｋ（これらを総括して「反射ミラー１５２」ともいう。）の一方の端部が挿入される開口部１１５ａと、最終ミラー１５３Ｙ，１５３Ｍ，１５３Ｃ，１５３Ｋ（これらを総括して「最終ミラー１５３」ともいう。）の一方の端部が挿入される開口部１１５ｂとが形成されている。側壁１０５ｂの反対側の側壁１０５ｃにも、側壁１０５ｂと同様に反射ミラー１５２の他方の端部が挿入される開口部と、最終ミラー１５３の他方の端部が挿入される開口部とが形成されている。反射ミラー１５２及び最終ミラー１５３は、開口部１１５ａ,１１５ｂにミラー固定部材５０を挿入することで両端が固定される。
【００３０】
図４は、ミラー固定部材５０の斜視図である。ミラー固定部材５０は、第１の板状部５１と、第２の板状部５２と、第１及び第２の板状部５１,５２が対向するように湾曲した状態で第１及び第２の板状部５１,５２を連結する湾曲部５３とから構成されている。
【００３１】
第１の板状部５１には、反射ミラー１５２及び最終ミラー１５３の端面１５２ｄ，１５３ｄの長手方向の位置ずれを規制する第１の規制部５１ａと、外側すなわち第２の板状部５２と反対側に円形に突出し、反射ミラー１５２及び最終ミラー１５３の底面１５２ｂ，１５３ｂを点接触又は点に近似した接触により押圧する突出部５１ｂとが形成されている。
【００３２】
第２の板状部５２には、Ｌ字状に折り曲げられ、開口部１１５ａ,１１５ｂに対する自己の位置ずれ（例えば回転ずれ）を規制する第２の規制部５２ａと、幅方向の両端側を切り起こして形成された一対の切り起こし部５２ｂとが形成されている。第２の規制部５２ａは、立ち上がり部５２０と折り曲げ部５２１とからなる。
【００３３】
ミラー固定部材５０は、例えば、厚さ０．２〜０．４ｍｍ程度、幅５〜１５ｍｍ程度のＳＵＳ３０４、ＳＫ５、りん青銅等の材料からなるばね材に、打ち抜き加工、曲げ加工等を施して形成される。
【００３４】
図５は、図３のＡ部拡大図、図６は、図３のＢ部拡大図、図７は、図５のＣ−Ｃ線断面図、図８は、図６のＤ−Ｄ線断面図である。
【００３５】
反射ミラー１５２は、図５及び図７に示すように、断面長方形の棒状部材からなり、光ビームを反射する平面による反射面１５２ａと、反射面１５２ａと反対側に位置する底面１５２ｂと、一対の側面１５２ｃと、端面１５２ｄとを有する。
【００３６】
最終ミラー１５３は、図６及び図８に示すように、断面略正方形の棒状部材からなり、図６において凹状の曲面によって形成された光ビームを反射する反射面１５３ａと、反射面１５３ａと反対側に位置する底面１５３ｂと、一対の側面１５３ｃと、端面１５３ｄとを有する。
【００３７】
反射ミラー１５２及び最終ミラー１５３は、例えば、ポリカーボネート，アクリル，非晶質ポリオレフィン等の熱可塑性樹脂を射出成形あるいは射出圧縮成形により成形体を形成し、成形体の反射面となる面に、Ａｌ，Ｃｕ，Ａｕ等の金属からなる反射膜を真空蒸着法によりコーティングして反射面１５２ａ，１５３ａを形成して作製される。なお、反射ミラー１５２及び最終ミラー１５３は、ガラス、金属等から形成してもよい。
【００３８】
図５に示すように、反射ミラー１５２が配置される開口部１１５ａには、反射ミラー１５２の反射面１５２ａが配置される側の第１面１１５０の中央に１つのデータム１１６が、ハウジングの対向側にはデータム１１６が２個設けられ（鎖線部）、反射面を３点で支持している。第１面に対向する第２面１１５１にミラー固定部材５０が装着される（ハウジングの対向側も同様）。
【００３９】
図６に示すように、最終ミラー１５３が配置される開口部１１５ｂには、最終ミラー１５３の反射面１５３ａが配置される側の第１面１１５０に中心振り分けで２つのデータム１１６が、ハウジングの対向側にはデータム１１６が前記２つのデータム位置の中心に１個設けられ、（鎖線部）、反射面を３点で支持している。第１面１１５０の隣の第３面１１５２の中央に１つのデータム１１６が設け、第１面１１５０に対向する第２面１１５１と第３面１１５２に対向する第４面１１５３にミラー固定部材５０が装着される（ハウジングの対向側も同様）。
【００４０】
図９は、図７のＥ方向矢視図である。画像形成装置１０の運搬や回転多面鏡１４１の駆動等の稼動中の振動等により、ミラー固定部材５０が同図に示す回転方向Ｆ及び軸方向Ｇに移動しようとしても、一対の切り起こし部５２ｂ及び第２の規制部５２ａによって回転方向Ｆ及び軸方向Ｇの移動量が切り起こし部がミラー固定部材５０の幅方向の中央に設けた場合よりも抑制される。これを図１０及び図１１を用いてさらに説明する。
【００４１】
図１０（ａ）は、本実施の形態に係るミラー固定部材が傾いたときの様子を示す図、図１０（ｂ）は、比較例として、切り起こし部が幅方向の中央に設けられたミラー固定部材が傾いたときの様子を示す図である。図１１（ａ）は、比較例として、切り起こし部が幅方向の中央に設けられたミラー固定部材を用いた場合の問題を説明するための断面図であり、図１１（ｂ）は、図１１（ａ）のＨ方向から見た図である。
【００４２】
本実施の形態を示す図１０（ａ）において、切り起こし部５２ｂと側壁１０５ｃとの隙間Ｇを有するために、本実施の形態のミラー固定部材５０は、図１０（ａ）の右側の図に示すように、最大角度θの傾きが可能である。一方、比較例を示す図１０（ｂ）において、切り起こし部５２ｂと側壁１０５ｃとの隙間が本実施の形態と同じ隙間Ｇを有する場合に、切り起こし部５２ｂが幅方向の中央に設けられているため、図１０（ｂ）の右側の図に示すように、図１０（ａ）よりも大きい最大角度（θ＋α）の傾きが可能となる。
【００４３】
図１０（ｂ）に示すミラー固定部材２５０を、光学部材として、例えば、最終ミラー１５３の両端の固定に用いた場合、図１１（ｂ）に示すように最大角度（θ＋α）の傾きが生じたとき、データム１１６の真下に位置していた突出部５１ｂ、すなわち押圧位置が５１ｂ’で示す位置に移動する。この結果、図１１（ａ）に示すように、最終ミラー１５３の一方の端側がミラー固定部材２５０のばね力によって反り、反射面１３５ａに歪みが生じて半導体レーザ１１０Ｙ，１１０Ｍ，１１０Ｃ，１１０Ｋからの光ビーム（入射光）１１１Ｙ，１１１Ｍ，１１１Ｃ，１１１Ｋの反射光が感光体２２Ｙ，２２Ｍ，２２Ｃ，２２Ｋ上で相対的に位置ずれ、すなわち色ずれを生じることになる。押圧位置がずれてもミラーが歪まないように厚さを厚くすることも考えられるが、コスト高を招くおそれがある。
【００４４】
（画像形成装置の動作）
次に、画像形成装置１０の動作の概要について説明する。光学走査装置１００は、ＹＭＣＫ各色の画像データに基づいて変調された光ビーム１１１Ｙ，１１１Ｍ，１１１Ｃ，１１１Ｋを感光体２２Ｙ，２２Ｍ，２２Ｃ，２２Ｋに照射して感光体２２Ｙ，２２Ｍ，２２Ｃ，２２Ｋの表面に静電潜像を形成する。すなわち、図３Ａ及び図３Ｂに示すように、半導体レーザ１１０Ｃ，１１０Ｙ，１１０Ｋ，１１０Ｍは、光源駆動基板１２０上のドライバＩＣによって駆動され、光ビーム１１１Ｙ，１１１Ｍ，１１１Ｃ，１１１Ｋを出射する。半導体レーザ１１０Ｃ，１１０Ｙ，１１０Ｋ，１１０Ｍから出射された光ビーム１１１Ｙ，１１１Ｍ，１１１Ｃ，１１１Ｋは、第１光学系１４０の回転多面鏡１４１によって走査され、折り返しミラー１４７で折り返された後、第２光学系１５０の光分離多面鏡１５１によって分離され、反射ミラー１５２Ｙ，１５２Ｍ，１５２Ｃ，１５２Ｋ及び最終ミラー１５３Ｙ，１５３Ｍ，１５３Ｃ，１５３Ｋを経て感光体２２Ｙ，２２Ｍ，２２Ｃ，２２Ｋに照射される。
【００４５】
光ビーム１１１Ｙ，１１１Ｍ，１１１Ｃ，１１１Ｋが照射によって感光体２２Ｙ，２２Ｍ，２２Ｃ，２２Ｋ上に形成された静電潜像は、現像器２４によりトナーで現像されてトナー像が形成される。感光体２２Ｙ，２２Ｍ，２２Ｃ，２２Ｋ上のトナー画像は、一次転写ロール２６Ｙ、２６Ｍ、２６Ｃ、２６Ｋによって中間転写ベルト３３に転写される。
【００４６】
一方、給紙トレイ１２からは、ピックアップロール１４ａによって用紙Ｐが用紙搬送路１４に取り込まれ、捌きロール１４ｂによって捌かれた後、搬送ロール１４ｃによって二次転写ロール３４に搬送され、中間転写ベルト３３上のトナー像が用紙Ｐに転写される。
【００４７】
その後、用紙Ｐ上のトナー像は、定着器１５によって定着された後、排出ロール１４ｄによって用紙排出部１３に排出される。
【００４８】
なお、本発明は、上記実施の形態に限定されず、本発明の趣旨を逸脱しない範囲内において種々に変形実施が可能である。
【符号の説明】
【００４９】
１０…画像形成装置、１１…筐体、１１ａ…フレーム、１２…給紙トレイ、１３…用紙排出部、１４…用紙搬送路、１４ａ…ピックアップロール、１４ｂ…捌きロール、１４ｃ…搬送ロール、１４ｄ…排出ロール、１５…定着器、２０…画像形成部、２１Ｙ，２１Ｍ，２１Ｃ，２１Ｋ…画像形成ユニット、２２Ｙ，２２Ｍ，２２Ｃ，２２Ｋ…感光体、２３…帯電器、２４…現像器、２４ａ…ハウジング、２４ｂ…現像ロール、２４ｃ…供給オーガー、２４ｄ…攪拌オーガー、２５…感光体クリーニング部、２６Ｙ，２６Ｍ，２６Ｃ，２６Ｋ…一次転写ロール、３０…駆動ロール、３１…バックアップロール、３２…従動ロール、３３…中間転写ベルト、３４…二次転写ロール、３５Ｙ，３５Ｍ，３５Ｃ，３５Ｋ…トナーボックス、４０…ベルトクリーニング部、５０…ミラー固定部材、５１…第１の板状部、５１ａ…第１の規制部、５１ｂ…突出部、５２…第２の板状部、５２ａ…第２の規制部、５２ｂ…切り起こし部、５３…湾曲部、１００…光学走査装置、１０１…光学箱、１０２…箱本体、１０３…蓋体、１０３ａ…ガラス窓、１０４…底壁、１０５ａ〜１０５ｄ…側壁、１０６…座部、１０６ａ…座板、１１０Ｙ，１１０Ｍ，１１０Ｃ，１１０Ｋ…半導体レーザ、１１１Ｙ，１１１Ｍ，１１１Ｃ，１１１Ｋ…光ビーム、１１５ａ，１１５ｂ…開口部、１２０…光源駆動基板、１４０…第１光学系、１４１…回転多面鏡、１４２…コリメータレンズ、１４３…スリット、１４４Ａ…第１反射ミラー、１４４Ｂ…第２反射ミラー、１４４Ｃ…第３反射ミラー、１４５Ａ…第１レンズ系、１４５Ｂ…第２レンズ系、１４６Ａ…第１ｆθレンズ、１４６Ｂ…第２ｆθレンズ、１４７…折り返しミラー、１５０…第２光学系、１５１…光分離多面鏡、１５２Ｙ，１５２Ｍ，１５２Ｃ，１５２Ｋ…反射ミラー、１５３Ｙ，１５３Ｍ，１５３Ｃ，１５３Ｋ…最終ミラー、１５４…ＳＯＳミラー、１５５…Ｓ０Ｓレンズ、１５６…ＳＯＳセンサ、２５０・・・ミラー固定部材、５２０…立ち上がり部、５２１…折り曲げ部、１１５０…第１面、１１５１…第２面、１１５２…第３面、１１５３…第４面、Ｐ…用紙
【図１】
2011064888.tif 000003
【図２Ａ】
2011064888.tif 000004
【図２Ｂ】
2011064888.tif 000005
【図３】
2011064888.tif 000006
【図４】
2011064888.tif 000007
【図５】
2011064888.tif 000008
【図６】
2011064888.tif 000009
【図７】
2011064888.tif 000010
【図８】
2011064888.tif 000011
【図９】
2011064888.tif 000012
【図１０】
2011064888.tif 000013
【図１１】
2011064888.tif 000014